(57)【要約】      （修正有）【課題】家庭において嵩高いブロック状の氷菓子等の氷を簡便に製氷することができる製氷容器を提供する。【解決手段】所定間隔をあけて水平方向に配置した複数の上部開口状のカップ２と共に隣り合うカップ２，２を相互に連結する連結手段３をエラストマーで一体成形することによりカップ集合体を構成し、連結手段３により、隣り合うカップを結ぶ線上において、上下方向及び捻じり方向に弾性変形自在とされた弾性ブリッジ３ａないし弾性部を構成し、カップ胴部６の内径Ｒ１に対するカップ開口部５の内径Ｒ２をＲ１＜Ｒ２に形成すると共に、該カップ周壁７の肉厚をカップ底部８又はカップ胴部６からカップ開口部５に向けて次第に薄肉となるように形成している。【選択図】図４
0003183911.tif 000002
【実用新案登録請求の範囲】
【請求項１】
所定間隔をあけて水平方向に配置した複数の上部開口状のカップ(2)と共に隣り合うカップ(2)(2)を相互に連結する連結手段(3)をエラストマーで一体成形することによりカップ集合体(4)を構成し、
前記連結手段(3)により、隣り合うカップを結ぶ線上において、上下方向及び捻じり方向に弾性変形自在とされた弾性部(3b)を構成して成ることを特徴とする製氷容器。
【請求項２】
３個以上のカップ(2)を水平方向に縦横に配置し、隣り合うカップを結ぶ線上に前記連結手段(3)を設けると共に、３個以上のカップで囲まれた領域に窓開口(10)を形成し、前記連結手段(3)により、上下方向及び捻じり方向に弾性変形自在とされた弾性ブリッジ(3a)を構成して成ることを特徴とする請求項１に記載の製氷容器。
【請求項３】
前記カップ集合体(4)を床面に設置する台座(9)を前記カップ(2)の底部(8)に形成して成ることを特徴とする請求項１又は２に記載の製氷容器。
【請求項４】
前記連結手段(3)にスカート部(13)を垂設し、前記カップ集合体(4)を床面に設置する脚座(14)を前記スカート部に形成して成ることを特徴とする請求項１又は２に記載の製氷容器。
【請求項５】
前記カップ(2)は、カップ胴部(6)の内径Ｒ１に対するカップ開口部(5)の内径Ｒ２をＲ１＜Ｒ２に形成すると共に、該カップ周壁(7)の肉厚をカップ底部(8)又はカップ胴部(6)からカップ開口部(5)に向けて次第に薄肉となるように形成し、カップ開口部(5)を拡縮自在とするように前記カップ周壁(7)を弾性変形自在に構成して成ることを特徴とする請求項１、２、３又は４に記載の製氷容器。
【考案の詳細な説明】
【技術分野】
【０００１】
本考案は、家庭等において嵩高いブロック状の氷を簡便に製氷することができる製氷容器に関する。
【背景技術】
【０００２】
家庭における製氷は、液体原料を充填した製氷容器を冷蔵庫の冷凍室ないし製氷室に設置することにより行われており、従来の製氷容器は、枡目状に区成された多数の液溜め凹部を備えた製氷トレーから成り、該製氷トレーは、硬質の合成樹脂により成形されている。
【先行技術文献】
【特許文献】
【０００３】
【特許文献１】特開２００３−２７９２１４号公報
【考案の概要】
【考案が解決しようとする課題】
【０００４】
従来の製氷容器は、小粒キューブ形の氷を製氷することを目的としており、本考案者が知る限り、嵩高いブロック状の氷菓子等の氷を簡便に製氷できる製氷容器は、未だ提供されていない。
【０００５】
しかしながら、例えば家庭等では、水による製氷の他、児童等の嗜好のために、果汁や牛乳等を液体原料としてアイスキャンディーのような嵩高いブロック状の氷菓子等の氷を製氷するニーズがあり、現状では、これを目的とした市販の製氷容器が存在しないため、生活の知恵として、既存のプラスチック容器等を使用することにより製氷が行われている。
【０００６】
ところで、このような嵩高いブロック状の氷を製氷可能とする製氷容器を提案する際には、液体原料の液溜め部を幅広で深く形成する関係上、製氷後、液溜め部からブロック状の氷を取出すことが至難となるので、この点の課題を解決する必要がある。
【課題を解決するための手段】
【０００７】
本考案は、上記課題を解決した製氷容器を提供するものであり、その手段として構成したところは、所定間隔をあけて水平方向に配置した複数の上部開口状のカップと共に隣り合うカップを相互に連結する連結手段をエラストマーで一体成形することによりカップ集合体を構成し、前記連結手段により、隣り合うカップを結ぶ線上において、上下方向及び捻じり方向に弾性変形自在とされた弾性部を構成して成る点にある。
【０００８】
本考案の好ましい実施形態は、３個以上のカップを水平方向に縦横に配置し、隣り合うカップを結ぶ線上に前記連結手段を設けると共に、３個以上のカップで囲まれた領域に窓開口を形成し、前記連結手段により、上下方向及び捻じり方向に弾性変形自在とされた弾性ブリッジを構成している。
【０００９】
本考案の１実施形態は、前記カップ集合体を床面に設置する台座を前記カップの底部に形成している。
【００１０】
本考案の別の実施形態は、前記連結手段にスカート部を垂設し、前記カップ集合体を床面に設置する脚座を前記スカート部に形成している。
【００１１】
前記カップは、カップ胴部の内径Ｒ１に対するカップ開口部の内径Ｒ２をＲ１＜Ｒ２に形成すると共に、該カップ周壁の肉厚をカップ底部又はカップ胴部からカップ開口部に向けて次第に薄肉となるように形成し、カップ開口部を拡縮自在とするように前記カップ周壁を弾性変形自在に構成することが好ましい。
【考案の効果】
【００１２】
本考案によれば、所定間隔をあけて水平方向に配置した複数の上部開口状のカップ２と共に隣り合うカップ２、２を相互に連結する連結手段３をエラストマーで一体成形することによりカップ集合体４を構成し、前記連結手段３により、隣り合うカップ２、２を結ぶ線上において、上下方向及び捻じり方向に弾性変形自在とされた弾性ブリッジ３ａないし弾性部３ｂを形成した構成であるから、カップ２により嵩高いブロック状の氷１２を製氷することが可能になると共に、製氷後の氷１２をカップ２から取出す際は、一対のカップ２、２をユーザの手に握持し、該カップ２、２の間の弾性ブリッジ３ａないし弾性部３ｂを上下方向ＵＤ及び捻じり方向ＴＳに変形させれば、エラストマーで一体成形されたカップ２の周壁７を氷１２の表面から容易に剥離させ、カップ２から氷の取出しを容易とする効果がある。
【００１３】
従って、カップ２をボール形状やハート形状の他、種々の形状とすることにより、児童等の嗜好に適した形状の氷１２を製氷することができ、その場合でも、該氷１２をカップ２から容易に取出すことができる。
【００１４】
そして、カップ２の底部８に台座９を形成し又は連結手段３に垂設したスカート部１３に脚座１４を形成することにより、エラストマーによる柔軟構造でありながら、カップ２に充填した液体原料により重量物とされたカップ集合体４を撓み変形等が生じない状態で冷凍室又は製氷室の床面に安定設置することができる。
【００１５】
特に、カップ集合体４の全体をシリコンゴム等のエラストマーにより一体成形しているので、カップ胴部６の内径Ｒ１とカップ開口部５の内径Ｒ２をＲ１＜Ｒ２とするように形成した場合でも、カップ周壁７の肉厚をカップ底部８又はカップ胴部６からカップ開口部５に向けて次第に薄肉となるように形成することにより、カップ周壁７の弾性変形を介してカップ開口部５を拡縮自在に構成することが可能であり、これによりボール形状のような氷１２の製氷を可能にすると共に、該氷１２のカップ２からの取出しを可能にするという効果がある。
【図面の簡単な説明】
【００１６】
【図１】本考案の第１実施形態を示す斜視図である。
【図２】本考案の第１実施形態を示す平面図である。
【図３】本考案の第１実施形態の断面図を示しており、（Ａ）は図２のＡ−Ａ線断面図、（Ｂ）は図２のＢ−Ｂ線断面図、（Ｃ）は図２のＣ−Ｃ線断面図である。
【図４】本考案の第１実施形態に関する作用を示す断面図である。
【図５】本考案の第２実施形態を示しており、（Ａ）は平面図、（Ｂ）は（Ａ）のＤ−Ｄ線断面図である。
【図６】本考案の第３実施形態を示す斜視図である。
【考案を実施するための形態】
【００１７】
以下図面に基づいて本考案の好ましい実施形態を詳述する。
【００１８】
［第１実施形態］
図１ないし図４は、本考案の第１実施形態を示しており、製氷容器１は、シリコンゴム等のエラストマーにより一体成形されており、所定間隔をあけて水平方向に縦横に配置された３個以上（図例の場合、４個）のカップ２と、隣り合うカップ２、２を相互に連結する連結手段３を一体成形することによりカップ集合体４を構成している。
【００１９】
前記カップ２は、図３（Ａ）及び図４に示すように、ボール形状とすることが可能であり、上部に開口部５を有する幅広で深底状のカップ形状とされ、該カップ２の最大径とされるカップ胴部６の内径Ｒ１に対するカップ開口部５の内径Ｒ２をＲ１＜Ｒ２に形成すると共に、該カップ周壁７の肉厚をカップ底部８又はカップ胴部６からカップ開口部５に向けて次第に薄肉となるように形成し、図４に鎖線で示すように、カップ開口部５を拡縮自在とするように前記カップ周壁７を弾性変形自在に構成している。
【００２０】
第１実施形態の場合、前記カップ底部８の底面に高台を形成し、これによりカップ集合体４を床面に設置する台座９を形成している。
【００２１】
前記連結手段３は、第１実施形態の場合、隣り合うカップ２、２を結ぶ線上に設けられ、これにより、前記３個のカップ２で囲まれた領域に窓開口１０を形成し、該連結手段３により、上下方向ＵＤ及び捻じり方向ＴＳに弾性変形自在とされた弾性ブリッジ３ａを構成している。
【００２２】
尚、図例の場合、連結手段３は、平板状に形成され、外側縁に下向き折曲状の縁部１１を設けており、少なくとも対向する１対の連結手段３の縁部を外向きに張出形成すると共に下向き凹部を設けることにより把手部１１ａを形成している。
【００２３】
そこで、第１実施形態の製氷容器１は、カップ２に液体原料を充填した状態で、冷蔵庫における冷凍室又は製氷室に収納し、所定時間経過させると、カップ２の内部に嵩高いブロック状の氷を製氷することができる。この際、製氷容器１は、シリコンゴム等のエラストマーにより一体成形された柔軟構造物であり、カップ２に充填された液体原料により重量物とされるが、上述のように肉厚を厚く形成した底部８に設けた台座９により冷凍室又は製氷室の床面に設置されるので、撓み変形等を生じることはなく、安定設置される。尚、液体原料として果汁や牛乳等を使用すれば、児童等の嗜好に応じたアイスキャンディーのようなボール形状の嵩高いブロック状の氷を製氷することができる。
【００２４】
連結手段３は、上述のように、シリコンゴム等のエラストマーにより成形され、隣り合うカップ２、２を結ぶ線上に位置して上下方向ＵＤ及び捻じり方向ＴＳに弾性変形自在とされた弾性ブリッジ３ａを構成している。従って、製氷されたボール形状の氷１２をカップ２から取出す場合は、該弾性ブリッジ３ａの両端に連結された一対のカップ２、２をユーザの手に握持し、図４に示すように、該弾性ブリッジ３ａを上下方向ＵＤ及び捻じり方向ＴＳに変形させると、これにエラストマーで一体成形されたカップ２の周壁７が氷１２の表面から容易に剥離し、氷１２の取出しを容易とする。
【００２５】
第１実施形態の場合、上述のようにカップ開口部５が狭窄状に形成されているが、エラストマー製のカップ周壁７は、カップ開口部５を拡縮自在とするように弾性変形自在とされているので、図４に鎖線で示すように、該周壁７の変形により開口部５を拡径させることにより、ボール形状の氷１２をカップ２から容易に取出すことができる。
【００２６】
［第２実施形態］
図５は、本考案の第２実施形態を示しており、カップ２を平面視にてハート形状に形成し、カップ２の底部の内側に桃表面のような二股状谷部８ａを形成している。その他の構成は、上記の第１実施形態を同様である。
【００２７】
上述のように、本考案は、カップ２と連結手段３をシリコンゴム等のエラストマーにより一体成形し、連結手段３により構成した弾性ブリッジ３ａを上下方向ＵＤ及び捻じり方向ＴＳに変形させることによりカップ２の周壁７を氷１２の表面から剥離させ、カップ２の周壁７の変形により開口部５を拡径自在とするように構成しているので、第２実施形態のようにカップ２を複雑な形状とした場合でも、製氷後の氷１２をカップ２から容易に取出すことが可能である。従って、図例のハート形状の他、カップ２に種々のキャラクター等の形状を施すことも可能であり、児童等の嗜好に適した複雑形状の氷１２を製氷することができ、該氷１２をカップ２から容易に取出すことができる。
【００２８】
［第３実施形態］
図６は、本考案の第３実施形態を示しており、縦横に配置した４個のカップ２の全周を含んで隣り合うカップを相互に連結する矩形テーブル状の連結手段３をエラストマーにより一体成形している。矩形テーブル状の連結手段３は、コーナー部分に位置してスカート部１３を垂設し、該スカート部１３によりカップ集合体４を床面に設置する脚座１４を形成している。その他の構成は、上記の第１実施形態を同様である。
【００２９】
第３実施形態の場合、矩形テーブル状の連結手段３は、隣り合うカップ２、２を結ぶ線上において、上下方向及び捻じり方向に弾性変形自在とされた弾性部３ｂを含んで形成されており、従って、上述の第１実施形態と同様に、カップ２に充填した液体原料による製氷の後、該弾性部３ｂの両端に連結された一対のカップ２、２をユーザの手に握持し、該弾性部３ｂを上下方向及び捻じり方向に変形させることにより、これにエラストマーで一体成形されたカップ２の周壁７を氷の表面から容易に剥離させることができ、カップ２から氷の取出しを容易とする。
【符号の説明】
【００３０】
１  製氷容器
２  カップ
３  連結手段
３ａ  弾性ブリッジ
３ｂ  弾性部
４  カップ集合体
５  カップ開口部
６  カップ胴部
７  カップ周壁
８  カップ底部
９  台座
１０  窓開口
１１  縁部
１１ａ  把手部
１２  氷
１３  スカート部
１４  脚座
【図１】
0003183911.tif 000003
【図２】
0003183911.tif 000004
【図３】
0003183911.tif 000005
【図４】
0003183911.tif 000006
【図５】
0003183911.tif 000007
【図６】
0003183911.tif 000008